(57)【要約】  【課題】  単体でロック機能とアラーム機能とを併せて保有し、取り付けが容易で、操作が簡単な上に、装置の設置を外部から確認できるため侵入者に対し威嚇的な効果を与える引き違いガラス戸用補助錠を提供する。  【解決手段】  ガラス戸のガラスに裏面が貼り付けられる基板１と、この基板１に起伏自在に重合するロック体２とを備え、ロック体２は、偏平状の筐体３内に、窓ガラスの振動およびガラス戸の開放動を検知して警報を発するアラームユニットＵと、作動用電源としてのボタン電池Ｂとを組み込んでいる。【選択図】    図１
2007310576.tif 000002
【特許請求の範囲】
【請求項１】
外側の引き違いガラス戸のガラスに裏面が貼り付けられる基板と、この基板の前面側に一端部を起伏自在に枢支させたロック体とを備え、前記ロック体を伏倒させて基板に対し重合状態にした時の総厚さは内側の引き違いガラス戸の開閉を阻害しない厚さとし、かつ  前記ロック体は反枢支側を前方へ略９０°回転させて基板前面で直角方向に起立させた時の側面部が内側の引き違いガラス戸の窓枠に当接し、その開放を阻止するように構成した引き違いガラス戸用補助錠であって、
前記ロック体は、剛性の高い偏平状の筐体内に、窓ガラスの振動および内側の引き違いガラス戸の窓枠との当接力の少なくとも一方を検知して警報を発するアラームユニットと、このアラームユニットを作動させる電池とを備えていることを特徴とする引き違いガラス戸用補助錠。
【請求項２】
前記ロック体内に、前記電池と前記アラームユニットとを接続する電気回路を開閉する電源スイッチを設けるとともに、この電源スイッチは、前記ロック体の倒伏動作による前記基板との接触によりオフに、前記ロック体の起立動作による前記基板からの離間によりオンになるように構成していることを特徴とする請求項１記載の引き違いガラス戸用補助錠。
【請求項３】
前記アラームユニットは、前記窓ガラスの振動を検知する振動センサーと、前記内側の引き違いガラス戸の開放動作時の押し付け力で作動するダンパースイッチと、前記振動センサーおよび前記ダンパースイッチからの信号を識別して警報指令を出力する制御部と、この制御部からの指令により警報音、警報光または警報信号を発する警報発生部とを備えるとともに、
前記ダンパースイッチは、前記ロック体の起立時において前記内側の引き違いガラス戸の窓枠に当接して操作されるスイッチ操作部を備えていることを特徴とする請求項１または２記載の引き違いガラス戸用補助錠。
【請求項４】
前記ロック体と前記基板との間に、前記ロック体の伏倒時に両者を係脱可能に係止するストッパー機構を設けていることを特徴とする請求項１〜３のいずれかに記載の引き違いガラス戸用補助錠。
【請求項５】
前記基板および前記ロック体の筐体は、ステンレスやアルミ合金などからなる金属板にて形成していることを特徴とする請求項１〜４のいずれかに記載の引き違いガラス戸用補助錠。
【発明の詳細な説明】
【技術分野】
【０００１】
この発明は、本発明は、住宅等に設けられたサッシ窓等の引き違いガラス戸が外部からの侵入者等によって開けられることを阻止し、かつ開けられようとしたときに警報を発するようにした引き違いガラス戸用補助錠に関し、特に、単体でロック機能とアラーム機能とを備え、サッシ窓等に対する取り付けが容易な引き違いガラス戸用補助錠に関する。
【背景技術】
【０００２】
近年、防犯上の要請から引き違いガラス戸には、クレセント錠等の主錠の他に補助錠を設置することが望まれ、主錠としてのクレセント錠本体や、ガラス戸の窓枠にビス等を用いて固定される種々の簡易錠が使用されている。
一方、ビス等を用いることなく簡便に取り付けられるものとして、例えば、図７に示すように、窓のガラスに裏面が貼り付けられる基板２１と、この基板２１に前方に傾動可能に重合させたロックプレート２２とを備え、そのロックプレート２２が前方に傾動して他方のガラス戸の開放を阻止する構成の窓用補助錠２０が提案されている（例えば、特許文献１参照）。
【０００３】
また、外部から強引に開かれようとしたときに警報を発して、周囲に警告するとともに、侵入者を威嚇できるアラーム機能を付加したものも望まれており、そのような要望に対応するものとして、例えば、図８に示すように、取付板３１ａに規制片３１ｂを起伏自在に重合させてなる補助錠３１を、一方の引き違い戸３３に固着するとともに、この補助錠３１の接触を感知する検知部３２ａを設けた警報器３２を、他方の引き違い戸３４に取り付け、規制片３１ｂを起立させている時に、いずれか一方の引き違い戸３３又は３４を開けようとすれば、警報器３２は補助錠３１の接触を感知して警報音を発生するとともに、起立させた規制片３１ｂによって、引き違い戸３３又は３４のそれ以上の開放動作を阻止する構造とした引き違い戸防犯システムが提案されている（例えば、特許文献２参照）。
【特許文献１】特開平１１−３６６７6号公報（第２〜３頁および図１〜３）
【特許文献２】特開２００１−１５２７２３号公報（第２〜８頁および図１〜１５）
【発明の開示】
【発明が解決しようとする課題】
【０００４】
しかし、上述した先行技術のうち前者においては、窓のガラスに貼り付けて設置するので、その取り付け作業が簡単で、しかも構造および操作方法が簡単である反面、アラーム機能は備えていない。
一方、上述した後者においては、システムとしてロック機能とアラーム機能とを併せて保有するものの、それら機能を果たす補助錠と警報器とを、それぞれ別個に取り付けて使用するので、取り付け作業が煩雑になる。また補助錠および警報器は、屋外から確認しにくい室内に設けられるので、侵入者に対し威嚇的な効果が全くない。
【０００５】
この発明は上述の点に鑑みなされたもので、単体でロック機能とアラーム機能とを併せて保有し、取り付けが容易で、操作が簡単な上に、装置の設置を外部から確認できるため侵入者に対し威嚇的な効果を与える引き違いガラス戸用補助錠の提供を目的としている。
【課題を解決するための手段】
【０００６】
上記の目的を達成するために本発明の引き違いガラス戸用補助錠は、外側の引き違いガラス戸のガラスに裏面が貼り付けられる基板と、この基板の前面側に一端部を起伏自在に枢支させたロック体とを備え、前記ロック体を伏倒させて基板に対し重合状態にした時の総厚さは内側の引き違いガラス戸の開閉を阻害しない厚さとし、かつ前記ロック体は反枢支側を前方へ略９０°回転させて基板前面で直角方向に起立させた時の側面部が内側の引き違いガラス戸の窓枠に当接し、その開放を阻止するように構成した引き違いガラス戸用補助錠であって、前記ロック体は、剛性の高い偏平状の筐体内に、窓ガラスの振動および内側の引き違いガラス戸の窓枠との当接力の少なくとも一方を検知して警報を発するアラームユニットと、このアラームユニットを作動させる電池とを備えていることを特徴とする。
【０００７】
上記の構成を有する本発明の引き違いガラス戸用補助錠によれば、基板を外側の引き違いガラス戸のガラスに貼り付けるだけで簡単に取り付けでき、その取り付け状態でロック体を伏倒させて基板と重合状態にした時は、内側の引き違いガラス戸の開閉を阻害しないアンロックモードとなってガラス戸を自由に開閉できる一方、ロック体を起立させた時は、起立したロック体の側面部が内側の引き違いガラス戸の窓枠に当接し開放動作を規制するロックモードとなるので、ガラス戸を開けられない。
【０００８】
また、この状態で、無理にガラス戸をこじ開けようとしてガラス戸を開こうとすると、その開放力あるいは開放の際に生じる振動をロック体のアラームユニットが検知して警報する。つまり、ロックモードになれば、不審者の侵入等の異常時には異常を検知して警報を発するアラームモードに自動的に切り換わる。また、アラームユニットは、ロック体に内蔵される電池によって動作するので、ロック体が起立したときにも支障なく動作する。
【０００９】
そして、使用者はロック体の起伏だけでロックモード（アラームモード）とその解除を行えるので操作が容易であり、またロックモード（アラームモード）か否かを目で見て確認できるので、操作ミスが起こりにくい。一方、窓ガラス越しに補助錠の設置状態を外部から確認できるので、侵入者に対して威嚇的な効果を与えることができ、不審者の侵入をおもいとどめさせられる。
【００１０】
請求項２に記載のように、前記ロック体内に、前記電池と前記アラームユニットとを接続する電気回路を開閉する電源スイッチを設けるとともに、この電源スイッチは、前記ロック体の倒伏動作による前記基板との接触によりオフに、前記ロック体の起立動作による前記基板からの離間によりオンになるように構成することができる。
【００１１】
請求項２記載の引き違いガラス戸用補助錠によれば、ロック体を起立させてロックモードにすることで、アラームユニットに電池から電力が供給され、アラームユニットを自動的にアラームモードに切り換えることがでる。つまり、ロック体を起立させるという１つの操作だけでロックモードとアラームモードとに切り替えることができ、またロック体を伏倒させるという１つの操作だけで、ロックモードが解除されてアンロックモードに復帰し、かつアラームモードも併せて解除される。
【００１２】
請求項３に記載のように、前記アラームユニットは、前記窓ガラスの振動を検知する振動センサーと、前記内側の引き違いガラス戸の開放動作時の押し付け力で作動するダンパースイッチと、前記振動センサーおよび前記ダンパースイッチからの信号を識別して警報指令を出力する制御部と、この制御部からの指令により警報音、警報光または警報信号を発する警報発生部とを備えるとともに、
前記ダンパースイッチは、前記ロック体の起立時において前記内側の引き違いガラス戸の窓枠に当接して操作されるスイッチ操作部を備えることができる。
【００１３】
請求項３記載の引き違いガラス戸用補助錠によれば、ロック体を起立させたロックモードにおいて、ガラス戸が開かれようとして開放側へ引かれたとき、その外力で生じた振動は振動センサーで検知され、また引き違いガラス戸の開放による窓枠を介した強い押し付け力はスイッチ操作部を介するダンパースイッチの作動で検知され、それぞれ制御部に伝えられる。そして制御部では伝えられた信号を識別（閾域差や信号の有無による識別）して警報発生部に指令を出し、警報発生部では制御部からの指令によって警報音や点滅する警報光を発生させることができる。またガラス戸に加えられる外力が、例えば当該ガラス戸の主錠の開錠を目的とした窓ガラス部分の破断のための衝撃であれば、その衝撃による振動を振動センサーが検知し、上述の制御パターンで警報を発生させることができる。
【００１４】
請求項４に記載のように、前記ロック体と前記基板との間に、前記ロック体の伏倒時に両者を係脱可能に係止するストッパー機構を設けることが好ましい。
【００１５】
請求項４記載の引き違いガラス戸用補助錠によれば、ロック体を伏倒させてアンロックモードにしているとき、何らかの振動等でロック体が勝手に回転して起立し、意図していない時にロックモードになる等の不具合の発生を回避することができる。つまり、引き違いガラス戸を開けて外に出てガラス戸を閉めた時に、不用意にロック体が起立してガラス戸の開放が阻止されることがない。
【００１６】
金などからなる金属板にて形成することが好ましい。
【００１７】
請求項５記載の引き違いガラス戸用補助錠によれば、金属板構造のもとで、ガラス戸の開放を規制してロックするために必要な構造上の強度や剛性を確保することが容易である。
【発明の効果】
【００１８】
本発明に係る引き違いガラス戸補助錠には、つぎのような優れた効果がある。
【００１９】
（１）単体でロック機能とアラーム機能とを備え、しかもガラス戸のガラス面に貼り付けるだけで取り付けられ、特別の工具等を必要としない。
【００２０】
（２）ロック体を起立させることによりロック機能とアラーム機能とを併せて作用させ、かつロック体を伏倒させることにより解除でき、セットと解除の操作が非常に簡単であり、しかもセット状態および解除状態が視認できるので、セット忘れ等の操作ミスの発生を低く抑えられる。
【００２１】
（３）ガラス戸のガラス面に貼り付けるだけで設置できるので、取り付けが容易で、しかも外部から防犯機器が設置されていることが確認されるので、よって侵入を意図する不審者を威嚇して侵入を抑止できる。
【発明を実施するための最良の形態】
【００２２】
以下、本発明に係る引き違いガラス戸用補助錠を実施するための最良の形態を図面に基づいて説明する。
【００２３】
図１〜図６は本発明の実施例に係る引き違いガラス戸用補助錠を示すものであり、図１は本例の補助錠を示す斜視図で、図１（ａ）はロック体の伏倒時（アンロックモード）の状態を、図１（ｂ）はロック体の起立時（ロックモード）の状態をそれぞれ表している。
【００２４】
図２はガラス戸への設置（取付）状態を示す斜視図で、図２（ａ）はロック体の伏倒時（アンロックモード）においてガラス戸を閉めた状態を、図２（ｂ）はロック体の伏倒時（アンロックモード）においてガラス戸を開閉する状態を、図２（ｃ）はロック体の起立時（ロックモード）においてガラス戸を無理に開放しようとした状態をそれぞれ表している。
【００２５】
図３はロック体の構成を示す図１（ｂ）のＡ−Ａ断面図、図４はロック体のストッパーの構成および作動を示す図３のＥ−Ｅ断面図で、図４（ａ）は起立時の状態を表し、図４（ｂ）は伏倒時の係止状態を表している。図５はアラームユニットの回路構成を示すブロック図、図６はアラームユニットの作動フロー図である。
【００２６】
まず、図１（ａ）〜図１（ｂ）および図２（ａ）〜図２（ｃ）に基づいて、補助錠の構成と使用態様について説明する。
本実施例に係る補助錠１０は、長方形の基板１と、この基板１に対し開閉自在（展開自在）に一端部が枢支された扁平箱状のロック体２とを主要構成部として備えている。
【００２７】
基板１は、裏面に耐候性の両面接着テープ（図示省略）の一面を接着しており、その両面接着テープを介して後述のガラスＧに貼り付けられる。一方、ロック体２は、一側辺部を、図１（ａ）および図１（ｂ）に示すように、基板１の下部両側に突設したヒンジ部１ａに、枢支軸４を介して回転自在に連結され、この連結・支持構造のもとで、図１（ａ）に示すように、反枢支（連結部の反対）側が上端となるように回転して基板１の正面に対し伏倒することで基板１と重合状態となり、また図１（ｂ）に示すように、上端側を前方に下向けに略９０°回転させて基板１の正面に対し直角方向に起立する構成からなる。
【００２８】
ロック体２は、構造上の強度および高剛性を備えた偏平状の筐体３内に、アラームユニットＵを収容するユニット収容部３ａと、このアラームユニットＵの作動用電源としてのボタン電池Ｂを収容する電池収容部３ｂと、同ロック体２を基板１に係止するストッパー８を配する係止機構配置部３ｃと、枢支軸４を挿通する挿通部３ｄとを設けている。
【００２９】
また、筐体３の一側面に、図３に示すように同筐体３の側壁を貫通して横移動可能なプッシュバー５と、このプッシュバー５を保持するダンパーゴム６とを設けている。ダンパーゴム６は中央突出部でプッシュバー５の頭部を支持し、一対の爪部６ａを筐体３の側面に嵌着することにより一体に固定されている。プッシュバー５は、図１（ｂ）に一点鎖線で示すように、内端側をアラームユニットＵ内に挿入し、その内端が後述のダンパースイッチＤに接するように配されている。
【００３０】
そして、本例の補助錠１０はロック体２を伏倒させて、図２（ａ）に示すように、窓Ｗの外側の引き違いガラス戸Ｗ１（以下、引き違いガラス戸を単にガラス戸という。）のガラスＧの内面に貼り付けて設置されるが、基板１とロック体２との重合状態での総厚さは内側のガラス戸Ｗ２の開閉を阻害しない厚さとし、主錠Ｒが施錠されていない限り、図２（ｂ）に示すように、ロック体２を伏倒させると、内側のガラス戸Ｗ２の開閉、ひいては外側のガラス戸Ｗ１の開閉が可能なアンロックモードになる。
【００３１】
また、図２（ｃ）に示すように、ロック体２の上端側を前方に下向きに略９０°回転させて基板１の正面に対し起立させると、そのロック体２の一側面が内側のガラス戸Ｗ２の窓枠Ｆに当接して開放を阻止するロックモードになる。
【００３２】
なお、ロック体２のプッシュバー５およびダンパーゴム６は、内側のガラス戸Ｗ２の窓枠Ｆに当接する一側面部に設けられている。また補助錠１０は、ロック体２を起立させた時に、プッシュバー５およびダンパーゴム６の端面が、内側のガラス戸Ｗ２の窓枠Ｆに当接するように取り付けられる。
【００３３】
また、基板１の表面（正面）には、図１（ｂ）に示すように、ロック体２の係止機構配置部３ｃに配したストッパー８に係合可能な係止爪1ｃを前方に向けて突設している。一方、ロック体２に配されたストッパー８は、図３および図４（ａ）〜図４（ｂ）に示すように、コイルスプリング８ａで枢支軸４の方向に付勢されており、図４（ｂ）に示すように、ロック体２を伏倒させて基板１に重合させると、係止爪1ｃに係合してロック体２の伏倒状態を確実に保持する。一方、枢支軸４側の側辺で筐体３から一部がわずかに突出する解除ボタン部７をコイルスプリング８ａに抗して押し込むことにより、係止爪1ｃとの係合状態が解除され、図４（ａ）に示すように、ロック体２の起立が可能になる構成を備えている。一方、電池収容部３ｂに収容したボタン電池Ｂは、図１（ｂ）に示すように、開閉蓋３ｅによって離脱しないように保持される。
【００３４】
本例の補助錠１０では、基板１とロック体２の筐体３とがステンレス鋼板から形成され、基板１は、高さ方向の寸法が６０ｍｍ前後、幅方向の寸法が８０ｍｍ前後で、基板１とロック体２との重合時の総厚さが９ｍｍ以下になるように構成されている。またロック体２の起立時に、窓枠Ｆが３５ｋｇｆの静荷重、もしくは５０ｋｇｆの動荷重で接触しても、各構成部の作動および形状に異常が生じない構造上の強度と剛性を保有している。またロック体２のダンパーゴム６は、５０ｋｇｆの衝撃荷重を受けても破損しないものを選択して使用されている。さらに基板１裏面の両面接着テープは、窓枠Ｆから５０ｋｇｆの荷重がロック体２に作用して５分間経過しても、窓ガラスＧ面から３０％以上剥離することのない接着力を有するものを選択して使用しており、これにより、主錠Ｒのロック機能を補完し、また仮に主錠Ｒの施錠を忘れた場合でも、十分なロック機能を果たせる。
【００３５】
アラームユニットＵは、図５に示すように、振動センサーＶと、ダンパースイッチＤと、振動センサーＶおよびダンパースイッチＤからの信号を識別して警報指令を出力する制御部Ｃと、その指令により警報音を発生するスピーカーＳとを樹脂ケース内に組み込んで備えており、交換可能にロック体２の筐体３内に収容される。
【００３６】
また、制御部Ｃは、振動センサーＶからの信号を増幅するアンプＣ1と、アンプＣ1を経由した振動センサーＶからの信号およびダンパースイッチＤからの信号を識別（閾域差や信号の有無により識別）し、予めインプットされたプログラムに基づく警報指令を出すコンパレータＣ２と、コンパレータＣ２からの指令により警報指令の持続時間をセットするタイマーＣ３と、コンパレータＣ２およびタイマーＣ３からの指令により各種警報音信号をスピーカーＳに向けて所定時間だけ出すアラーム音源Ｃ４とを備えている。
【００３７】
さらに筐体３内に収容した状態でアラームユニットＵは、図３に示すように、軸挿通部３ｄに配した押圧バネ３ｆと、筐体３の側壁を貫通して同アラームユニットＵ内まで至るダンパーゴム６の一対の爪部６ａとで確実に保持されている。
【００３８】
また、このアラームユニットＵは、図1（ｂ）に示すように、基板１と対向する一面に、ボタン電池Ｂと接続する電気回路を開閉する電源スイッチ（図示省略）を作動させるプッシュボタンＰを設けるとともに、スピーカーＳを開口させている。一方、ロック体２の表面側に、相対的に基板１で押されるプッシュボタンＰを出入り可能に突出させ、ロック体２の伏倒時に基板１との接触によりオフに、ロック体２の起立時に基板１との接触解除によりオンになるように構成されている。
【００３９】
したがって、ロック体２を起立させるだけで、アラームユニットＵが作動可能なアラームモードとなる。この状態で、窓ガラスＧの振動を振動センサーＶが検知し、内側のガラス戸Ｗ２の開放動作はプッシュバー５を介してダンパースイッチＤで検知して制御部Ｃに伝えるとともに、制御部ＣではスピーカーＳに警報音の指令を発する。
【００４０】
その動作フローの一例を図６に示す。まず、警戒開始（ｓｔｅｐ１）では、ロック体２の解除ボタン部７を押してストッパー８との係合状態を解除する。続いて、ロック体２を前方下向きに略９０°回転させて起こす（ｓｔｅｐ２）。これにより、基板１とプッシュボタンＰとが離間しプッシュボタンＰが突出し、電源スイッチが作動して電源オンの状態（ｓｔｅｐ３）になる。
【００４１】
そして、アラームユニットＵでは、電源オンの状態が３秒間継続することにより警戒開始状態が確認され、ピープ音が出力（ｓｔｅｐ４）されて操作者にアラームモードに入ったことが知らされ、入力待機（ｓｔｅｐ５）状態となる。この入力待機状態では、図５に示す制御部Ｃで振動センサーＶによる振動検知またはダンパースイッチＤによる開閉検知の信号の有無を常時確認する（ｓｔｅｐ６）。そして、検知信号無し（ＮＯ）の時は入力待機（ｓｔｅｐ５）の状態を維持する一方、検知信号有り（ＹＥＳ）の時は警報指令を発して、スピーカーＳに対しアラーム音を２０秒間出力させる（ｓｔｅｐ７）。
【００４２】
以上に述べたようにして本実施例の補助錠１０が構成されるが、この補助錠１０は、ガラス戸Ｗ１のガラスＧに貼り付けるだけで簡単に設置でき、この設置状態でロック体２を伏倒させて基板１に重合させると、アンロックモードとなって、ガラス戸Ｗ１・Ｗ２を自由に開閉でき、しかもロック体２と基板１との重合状態はストッパー８によって確実に保持され、何らかの振動等でロック体２が不用意に起立してロックモードになる等の不具合の発生を回避できる。
【００４３】
一方、解除ボタン部７を押してストッパー８との係合状態を解除して、ロック体２を起立させることにより、ガラス戸Ｗ１・Ｗ２の開放を阻止するロックモードとなり、かつロック体２の起立によりアラームユニットＵにボタン電池Ｂからの電力が供給され、自動的にアラームユニットＵが動作可能なアラームモードに切り換わる。つまり、解除ボタン部７を押しながらロック体２を起立させるという簡単かつ瞬時の操作でロックモードとアラームモードとに切り換えることができ、しかもそのセットおよび解除状態は、ロック体２の伏倒もしくは起立により視認でき、操作ミスの発生も抑えられる。また、アラームユニットＵは、同じロック体２内の電池によって作動するので、ロック体２が起立したときも支障なくアラームモードに切り換えられる。
【００４４】
そしてロック体２を起立させたロックモードにおいて、ガラス戸Ｗ１またはＷ２を強引に開けようとすると、アラームユニットＵは、その際に生じる振動を振動センサーＶで検知し、また窓枠Ｆの押し付け力をダンパースイッチＤで検知して警報音を発し、またガラス戸に作用する外力が、例えば主錠の開錠を目的としたガラス窓の部分破断のための衝撃であれば、その衝撃による振動を振動センサーＶが検知して、同様に警報音を発することができる。これらによって警報するだけでなく、外部からの侵入者を威嚇してその侵入を抑制することができる。
【００４５】
なお、以上に述べた本例の補助錠１０は、窓のガラス戸に設置するものとしたが、これは一例であって、引き違い式のものであれば、一般的な窓をはじめてとして、例えば掃き出し口や玄関の引き違いガラス戸、間仕切りの引き違いガラス戸などに設置して同様の作用・効果が得られることは言うまでもない。またアラームユニットＵは、振動やガラス戸の開放を検知して警報音を発生するものとしたが、これは警報音に加えて点滅光を発生するように構成するのも好ましい実施態様である。また、アラームユニットＵは、振動センサーＶとダンパースイッチＤとを備えるものとしたが、例えばダンパースイッチＤを省略して、振動センサーＶのみによって異常を検知して警報を発生する構成とすることもできる。さらに、例えばロック体２の起立時に前方に面する位置に赤色ＬＥＤを配したり、蛍光テープを貼着したりしてセットおよび解除状態の視認をより確実にすることもできる。
【図面の簡単な説明】
【００４６】
【図１】本発明の補助錠の実施例を示す斜視図で、図１（ａ）はロック体の伏倒時（アンロックモード）の状態を、図１（ｂ）はロック体の起立時（ロックモード）の状態をそれぞれ表している。
【図２】ガラス戸への設置（取付）状態を示す斜視図で、図２（ａ）はロック体の伏倒時（アンロックモード）においてガラス戸を閉めた状態を、図２（ｂ）はロック体の伏倒時（アンロックモード）においてガラス戸を開閉する状態を、図２（ｃ）はロック体の起立時（ロックモード）においてガラス戸を無理に開放しようとした状態をそれぞれ表している。
【図３】ロック体の構成を示す図１（ｂ）のＡ−Ａ断面図である。
【図４】ロック体のストッパーの構成および作動を示す図３のＥ−Ｅ断面図で、図４（ａ）は起立時の状態を表し、図４（ｂ）は伏倒時の係止状態を表している。
【図５】アラームユニットの回路構成を示すブロック図である。
【図６】アラームユニットの作動フロー図である。
【図７】従来の窓用補助錠の構成を示す斜視図である。
【図８】従来の引き違いガラス戸防犯システムの概要構成を示す斜視図である。
【符号の説明】
【００４７】
１          基板
１ａ        軸支部
１ｃ        係止爪
２          ロック体
３          筐体
３ａ        ユニット収容部
３ｂ        電池収容部
３ｃ        係止機構配置部
３ｄ        軸挿通部
３ｅ        軸挿通部
３ｆ        押圧バネ
４          枢支軸
５          プッシュバー
６          ダンパーゴム
６ａ        取付突起
７          解除ボタン部
８          ストッパー
８ａ        コイルスプリング
１０        補助錠
Ｂ          ボタン電池
Ｃ          制御部
Ｃ１        アンプ
Ｃ２        コンパレータ
Ｃ３        タイマー
Ｃ４        アラーム音源
Ｄ          ダンパースイッチ
Ｆ          窓枠
Ｇ          窓ガラス
Ｐ          プッシュボタン
Ｒ          主錠
Ｓ          スピーカー
Ｕ          アラームユニット
Ｖ          振動センサー
Ｗ          窓
Ｗ１        ガラス戸
Ｗ２        ガラス戸
【図１】
2007310576.tif 000003
【図２】
2007310576.tif 000004
【図３】
2007310576.tif 000005
【図４】
2007310576.tif 000006
【図５】
2007310576.tif 000007
【図６】
2007310576.tif 000008
【図７】
2007310576.tif 000009
【図８】
2007310576.tif 000010